(57)【要約】【課題】コンクリート中空床版に好適にアンカーボルトを設置することができるコンクリート中空床版に対するアンカーボルト設置方法の提供を目的とする。【解決手段】半円環状のアンカーボルト４０を使用し、中空部長手方向に間隔をおいて一対のアンカーボルト挿通孔４１を形成し、前記アンカーボルト４０を一方の挿通孔４１より挿入して前記半円環状の周方向に回転させ、前記両挿通孔４１，４１よりアンカーボルト４１の端部を突出させ、その状態で中空部５固化材を注入する。【選択図】 図１
2010236351.tif 000002
【特許請求の範囲】
【請求項１】
床版長手方向に向けた中空部を有するコンクリート中空床版の下面より、前記中空部に達するアンカーボルト挿通孔を設け、該アンカーボルト挿通孔より前記アンカーボルトを挿入して該アンカーボルトの一部を前記中空部内に突出させ、前記中空部内の前記アンカーボルトの周囲にモルタル等の固化材を注入し、前記中空部内に前記アンカーボルトと一体化した抜け止め部を成形し、該抜け止め部により前記コンクリート中空床版に対しその下面より突出させた配置にアンカーボルトを設置するコンクリート中空床版に対するアンカーボルト設置方法において、
半円環状のアンカーボルトを使用し、中空部長手方向に間隔をおいて一対のアンカーボルト挿通孔を形成し、前記アンカーボルトを一方の挿通孔より挿入して前記半円環状の周方向に回転させ、前記両挿通孔より前記アンカーボルトの端部を突出させ、その状態で固化材を注入することを特徴としてなるコンクリート中空床版に対するアンカーボルト設置方法。
【請求項２】
前記半円環状アンカーボルトは、円環を４分割した形状のアンカーボルトを途中まで挿入した後、４分割円環状アンカーボルトを継ぎ足してなる請求項１に記載のコンクリート中空床版に対するアンカーボルト設置方法。
【発明の詳細な説明】
【技術分野】
【０００１】
本発明は、例えば、落橋防止に用いられるアンカーボルトをコンクリート中空床版に設置するコンクリート中空床版に対するアンカーボルト設置方法に関する。
【背景技術】
【０００２】
従来、高架道路橋や河川橋には、重量を軽減することによる長スパン化や施工性向上等を目的としてコンクリート床版桁の内部に中空部を有するコンクリート中空床版が用いられている（例えば、特許文献１を参照）。
【０００３】
このコンクリート中空床版１は、図２、図３に示すように、床版１の下面より突出させた配置にアンカーボルト２，２...が設置され、このアンカーボルト２を介して橋台や橋脚等の下部工３に設置された変位制限装置４等に固定されるようになっている。
【０００４】
アンカーボルト２は、十分な付着強度を得るために中空部５を避けてコンクリート部内に埋め込まれている。
【０００５】
尚、変位制限装置４は、例えば、アンカーボルト２によりコンクリート中空床版１に固定され、下部工３を挟むように配置された一対の長手方向制止部材６，６と、両長手方向制止部材６，６の両側部に配置され、下部工３の側壁面にアンカーボルト７，７...により固定された幅方向制止部材８，８とを備え、橋長手方向及び幅方向の変位を制限するようになっている。
【先行技術文献】
【特許文献】
【０００６】
【特許文献１】特開２０００−２８２４１６号公報
【発明の開示】
【発明が解決しようとする課題】
【０００７】
しかし、上述の如き従来の技術では、中空部以外のコンクリート部に、床版全体の強度維持に必要な鉄筋やＰＣ緊張材が配置されていることが多く、中空部を避けてアンカーボルトを設置しようとすると鉄筋やＰＣ緊張材を傷つけるおそれがあり、また、鉄筋やＰＣ緊張材が複雑に配置されている場合には、アンカーボルトを設置する部分を確保できないという問題があった。
【０００８】
そこで本発明は、上述の従来技術の問題を鑑み、コンクリート中空床版に好適にアンカーボルトを設置することができるコンクリート中空床版に対するアンカーボルト設置方法の提供を目的とする。
【課題を解決するための手段】
【０００９】
上述の如き従来の問題を解決し、所期の目的を達成するための請求項１に記載の発明は、床版長手方向に向けた中空部を有するコンクリート中空床版の下面より、前記中空部に達するアンカーボルト挿通孔を設け、該アンカーボルト挿通孔より前記アンカーボルトを挿入して該アンカーボルトの一部を前記中空部内に突出させ、前記中空部内の前記アンカーボルトの周囲にモルタル等の固化材を注入し、前記中空部内に前記アンカーボルトと一体化した抜け止め部を成形し、該抜け止め部により前記コンクリート中空床版に対しその下面より突出させた配置にアンカーボルトを設置するコンクリート中空床版に対するアンカーボルト設置方法において、半円環状のアンカーボルトを使用し、中空部長手方向に間隔をおいて一対のアンカーボルト挿通孔を形成し、前記アンカーボルトを一方の挿通孔より挿入して前記半円環状の周方向に回転させ、前記両挿通孔より前記アンカーボルトの端部を突出させ、その状態で固化材を注入することを特徴とする。
請求項２に記載の発明は、請求項１の構成に加え、前記半円環状アンカーボルトは、円環を４分割した形状のアンカーボルトを途中まで挿入した後、４分割円環状アンカーボルトを継ぎ足して構成されることを特徴とする。
【発明の効果】
【００１０】
本発明に係るコンクリート中空床版に対するアンカーボルト設置方法は、半円環状のアンカーボルトを使用し、中空部長手方向に間隔をおいて一対のアンカーボルト挿通孔を形成し、前記アンカーボルトを一方の挿通孔より挿入して前記半円環状の周方向に回転させ、前記両挿通孔より前記アンカーボルトの端部を突出させ、その状態で固化材を注入することによって、アンカーボルトの曲線フック効果により引張力を保持することができる。
【００１１】
前記半円環状アンカーボルトは、円環を４分割した形状のアンカーボルトを途中まで挿入した後、４分割円環状アンカーボルトを継ぎ足してなることによって、スムースに半円環状のアンカーボルトを中空部内に挿入することができる。
【図面の簡単な説明】
【００１２】
【図１】（ａ）〜（ｃ）は本発明方法に係るアンカーボルトの設置工程を示す断面図である。
【図２】従来のコンクリート中空床版の変位制限構造を示す断面図である。
【図３】同上のＡ−Ａ線断面図である。
【発明を実施するための最良の形態】
【００１３】
次に、本発明に係るアンカーボルトの設置方法の実施態様を、図面に示した実施例に基づいて説明する。尚、上述の従来例と同一の部分には同一符号を付して説明する。
【００１４】
図１は本発明方法によるアンカーボルトの設置方法の一例を示し、図中符号１はコンクリート中空床版、符号５は中空部である。
【００１５】
このアンカーボルトの設置構造は、円環状のアンカーボルト４０を使用し、このアンカーボルト４０が中空部５長手方向に間隔をおいて形成されたアンカーボルト挿通孔４１，４１より両端を突出させた配置に設置されている。
【００１６】
このアンカーボルト４０は、両端部にネジ部４２，４２を有する四半円環状の弧状アンカーボルト４３，４３をもって構成され、一対の弧状アンカーボルト４３，４３の端部間をカプラー４４により連結し、半円環状に形成されている。
【００１７】
このアンカーボルト４０の設置方法は、まず、図１（ａ）に示すように、所定の間隔、即ち、アンカーボルト４０の直径に合わせて床版下面より中空部５内に到達する一対のアンカーボルト挿通孔４１，４１をコアボーリングマシーン等により形成する。
【００１８】
次に、四半円環状アンカーボルト４３を一方のアンカーボルト挿通孔４１よりアンカーボルト周方向（以下、単に周方向と記す）に回転させながら挿入する。
【００１９】
そして、図１（ｂ）に示すように、途中、即ち四半円環状アンカーボルト４３の略中間まで挿入した位置で、端部にカプラー４４を介して、もう一つの四半円環状アンカーボルト４３を連結し、半円環状のアンカーボルト４０とする。
【００２０】
この状態でアンカーボルト４０を更に周方向に一方の端部が他方のアンカーボルト挿通孔４１，４１より突出する位置まで回転させる。
【００２１】
それにより、アンカーボルト４０は、両端部が床版下面より突出させ、その他の部分が中空部５内に配置される。
【００２２】
この状態で、図１（ｃ）に示すように、両アンカーボルト挿通孔４１，４１より中空部５内のアンカーボルト４０の周囲に固化材を注入する。
【００２３】
このとき、固化材には、高粘性のものを使用し、その形状保持性能により固化材が不要な部分に流れ出すのを防止している。
【００２４】
そして、固化材を養生させ硬化することにより抜け止め部４５が形成され、アンカーボルト４０が端部を床版下面より突出させた配置に設置される。
【００２５】
尚、上述の実施例では、アンカーボルトを変位制限装置に固定するために使用する例を挙げたが、その他、落橋防止装置や床版の下側に遮音板を設置する場合等に供するものであってもよい。
【符号の説明】
【００２６】
１ コンクリート中空床版
５ 中空部
４０ アンカーボルト
４１ アンカーボルト挿通孔
４２ ネジ部
４３ 四半円環状アンカーボルト
４４ カプラー
４５ 抜け止め部
【図１】
2010236351.tif 000003
【図２】
2010236351.tif 000004
【図３】
2010236351.tif 000005